(57)【要約】【課題】ユーザが目的とする所定の注文受付画面に容易にたどり着くことを可能とする注文受付端末装置、注文受付システム、及び注文受付方法を提供する。【解決手段】外部機器から送信される情報を受信する受信手段と、所定の情報を表示する表示手段と、前記受信手段により前記外部機器から所定の注文の開始を示す注文開始情報が受信されると、前記所定の注文に対応する注文受付画面を前記表示手段により表示するように制御する制御手段と、を有する。【選択図】図７
2008234171.tif 000002
【特許請求の範囲】
【請求項１】
外部機器から送信される情報を受信する受信手段と、
所定の情報を表示する表示手段と、
前記受信手段により前記外部機器から所定の注文の開始を示す注文開始情報が受信されると、前記所定の注文に対応する注文受付画面を前記表示手段により表示するように制御する制御手段と、
を有する注文受付端末装置。
【請求項２】
前記制御手段は、前記受信手段により前記外部機器から前記所定の注文に関する注文情報が受信されると、前記所定の注文を確定するための確定画面を前記表示手段により表示するように制御する請求項１に記載の注文受付端末装置。
【請求項３】
前記注文受付画面は、前記所定の注文に関する注文情報がユーザにより入力される画面であり、
ユーザにより入力された前記注文情報を取得する取得手段を更に有し、
前記制御手段は、前記取得手段により前記注文情報が取得されると、前記所定の注文を確定するための確定画面を前記表示手段により表示するように制御する請求項１に記載の注文受付端末装置。
【請求項４】
前記取得手段により取得された前記注文情報を、前記外部機器に送信する送信手段を更に有する請求項３に記載の注文受付端末装置。
【請求項５】
注文受付端末装置と外部機器とを有する注文受付システムであって、
前記外部機器は、
所定の注文の開始を示す注文開始情報を前記注文受付端末装置に送信する送信手段を有し、
前記注文受付端末装置は、
前記外部機器から送信される情報を受信する受信手段と、
所定の情報を表示する表示手段と、
前記受信手段により前記外部機器から前記注文開始情報が受信されると、前記所定の注文に対応する注文受付画面を前記表示手段により表示するように制御する制御手段と、
を有する注文受付システム。
【請求項６】
注文受付端末装置と外部機器とを有する注文受付システムでの注文受付方法であって、
前記外部機器は、
所定の注文の開始を示す注文開始情報を前記注文受付端末装置に送信する送信段階を有し、
前記注文受付端末装置は、
前記外部機器から送信される情報を受信する受信手段により前記外部機器から前記注文開始情報が受信されると、前記所定の注文に対応する注文受付画面を、所定の情報を表示する表示手段により表示するように制御する制御段階を有する注文受付方法。
【発明の詳細な説明】
【技術分野】
【０００１】
本発明は、注文受付端末装置、注文受付システム、及び注文受付方法に関し、特に所定の注文を受け付けるための注文画面を表示する注文受付端末装置、注文受付システム、及び注文受付方法に関する。
【背景技術】
【０００２】
近年、コンビニエンスストア等に設置されているキオスク端末などの注文受付端末装置は、写真のプリント注文の受付、チケットの発券、及びゲームのダウンロード等、多くの機能を提供している。
【０００３】
このようなキオスク端末に関する技術として、特許文献１には、入力手段とタッチパネルやキーからの文字入力から、音声入力へ自動的に切り替えるキオスク端末が提案されている。
【０００４】
また、特許文献２には、プリント注文に際して氏名等の記入が不要で注文時の簡易化を図るとともに、無人のプリント自動受付機でも簡単にプリント注文ができるようにした技術が開示されている。
【特許文献１】特開２００３−２４７１０号公報
【特許文献２】特開２００２−９２４０５号公報
【発明の開示】
【発明が解決しようとする課題】
【０００５】
このような技術背景において、現状の注文受付端末装置は上述した多くの機能の提供により、不慣れなユーザは目的とする所定の注文受付画面にたどり着くことが困難なため、ユーザにとって煩わしい操作となっている。また、目的とする所定の注文受付画面にたどり着けるユーザであっても、毎回同様の操作をすることは煩わしいということがある。
【０００６】
このように、従来の技術では、ユーザが目的とする所定の注文受付画面にたどり着くまでの操作が煩わしいという問題点があった。
【０００７】
本発明は上記問題点に鑑み、ユーザが目的とする所定の注文受付画面に容易にたどり着くことを可能とする注文受付端末装置、注文受付システム、及び注文受付方法を提供することを目的とする。
【課題を解決するための手段】
【０００８】
上記課題を解決するために、請求項１の発明は、外部機器から送信される情報を受信する受信手段と、所定の情報を表示する表示手段と、前記受信手段により前記外部機器から所定の注文の開始を示す注文開始情報が受信されると、前記所定の注文に対応する注文受付画面を前記表示手段により表示するように制御する制御手段と、を有する。
【０００９】
請求項１の発明によれば、受信手段が外部機器から送信される情報を受信し、制御手段が前記受信手段により前記外部機器から所定の注文の開始を示す注文開始情報が受信されると、前記所定の注文に対応する注文受付画面を所定の情報を表示する表示手段により表示するように制御するので、ユーザが目的とする所定の注文受付画面に容易にたどり着くことを可能とする注文受付端末装置を提供することができる。
【００１０】
また、本発明は、請求項２の発明のように、前記制御手段は、前記受信手段により前記外部機器から前記所定の注文に関する注文情報が受信されると、前記所定の注文を確定するための確定画面を前記表示手段により表示するように制御するようにしても良い。
【００１１】
請求項２の発明によれば、ユーザは注文受付画面だけではなく、注文を確定するための確定画面に容易にたどり着くことを可能とすることができる。
【００１２】
また、本発明は、請求項３の発明のように、前記注文受付画面は、前記所定の注文に関する注文情報がユーザにより入力される画面であり、ユーザにより入力された前記注文情報を取得する取得手段を更に有し、前記制御手段は、前記取得手段により前記注文情報が取得されると、前記所定の注文を確定するための確定画面を前記表示手段により表示するように制御するようにしても良い。
【００１３】
請求項３の発明によれば、ユーザは、注文受付画面に注文情報を入力すると、注文を確定するための確定画面に容易にたどり着くことを可能とすることができる。
【００１４】
なお、請求項３の発明は、請求項４の発明のように、前記取得手段により取得された前記注文情報を、前記外部機器に送信する送信手段を更に有する。
【００１５】
請求項４の発明によれば、外部機器は、注文情報を保持することで、次回の注文の際に用いることなどが可能となる。
【００１６】
また、上記課題を解決するために、請求項５の発明は、注文受付端末装置と外部機器とを有する注文受付システムであって、前記外部機器は、所定の注文の開始を示す注文開始情報を前記注文受付端末装置に送信する送信手段を有し、前記注文受付端末装置は、前記外部機器から送信される情報を受信する受信手段と、所定の情報を表示する表示手段と、前記受信手段により前記外部機器から前記注文開始情報が受信されると、前記所定の注文に対応する注文受付画面を前記表示手段により表示するように制御する制御手段と、を有する。
【００１７】
請求項５の発明によれば、注文受付端末装置と外部機器とを有する注文受付システムであって、前記外部機器は、送信手段が所定の注文の開始を示す注文開始情報を前記注文受付端末装置に送信し、前記注文受付端末装置は、受信手段が前記外部機器から送信される情報を受信し、制御手段が前記受信手段により前記外部機器から前記注文開始情報が受信されると、前記所定の注文に対応する注文受付画面を所定の情報を表示する表示手段により表示するように制御するので、ユーザが目的とする所定の注文受付画面に容易にたどり着くことを可能とする注文受付システムを提供することができる。
【００１８】
上記課題を解決するために、請求項６の発明は、注文受付端末装置と外部機器とを有する注文受付システムでの注文受付方法であって、前記外部機器は、所定の注文の開始を示す注文開始情報を前記注文受付端末装置に送信する送信段階を有し、前記注文受付端末装置は、前記外部機器から送信される情報を受信する受信手段により前記外部機器から前記注文開始情報が受信されると、前記所定の注文に対応する注文受付画面を、所定の情報を表示する表示手段により表示するように制御する制御段階を有する。
【００１９】
請求項６の発明は、請求項５の発明と同様に作用するため、請求項５の発明と同様の効果を得ることができる。
【発明の効果】
【００２０】
本発明によれば、ユーザが目的とする所定の注文受付画面に容易にたどり着くことを可能とする注文受付端末装置、注文受付システム、及び注文受付方法を提供することができるという効果が得られる。
【発明を実施するための最良の形態】
【００２１】
以下、図面を参照して、本発明の実施の形態について詳細に説明する。なお、本実施の形態では、外部機器として、デジタルカメラを適用した例を説明する。
【００２２】
図１は、本実施の形態に係る注文受付システムを示す図である。同図に示されるように、注文受付システムは、デジタルカメラ１０と、注文受付端末装置１２とを含んで構成される。
【００２３】
デジタルカメラ１０と注文受付端末装置１２は、本実施の形態では赤外線通信を行うものであるが、例えばBlue toothや、IEEE802.11などを用いた他の無線通信や、ＵＳＢ（Universal Serial Bus）を用いた有線通信であっても良い。また、いずれの通信であっても、通信される情報の内容によっては、暗号化通信するようにしても良い。
【００２４】
次に、注文受付端末装置１２及びデジタルカメラ１０の構成について説明する。まず、図２を用いて、注文受付端末装置１２の構成について説明する。
【００２５】
注文受付端末装置１２は、各々バスＢにより接続されたＣＰＵ（Central Processing Unit）６０と、ＲＯＭ（Read Only Memory）６１と、ＲＡＭ（Random Access Memory）６２と、ＨＤＤ（Hard Disk Drive）６３と、表示部６４と、操作入力部６５と、通信インタフェース６６とを含む。
【００２６】
ＣＰＵ６０は、注文受付端末装置１２の全体的な動作を司るものであり、後述するプログラムは、ＣＰＵ６０により実行される。ＲＯＭ６１は、注文受付端末装置１２の起動時に動作するブートプログラムなどが記憶されている不揮発性の記憶装置である。ＲＡＭ６２は、ＯＳ（Operating System）、プログラム、及びデータが展開される揮発性の記憶装置である。ＨＤＤ６３は、ＯＳやプログラムなどが記録された不揮発性の記憶装置である。表示部６４は、後述する注文受付画面等の各種所定の情報を表示するものである。操作入力部６５は、ユーザが注文受付端末装置１２の操作をする場合など、注文受付端末装置１２に情報を入力する際に用いられるものである。通信インタフェース６６は、デジタルカメラ１０など、他の外部機器と通信するためのインタフェースであり、赤外線通信を行うためのＮＩＣ（Network Interface Card）や、ＵＳＢデバイス等である。
【００２７】
次に、図３を参照して、本実施の形態に係るデジタルカメラ１０の外観上の構成を説明する。デジタルカメラ１０の正面には、被写体像を結像させるための光学部材であるレンズ２１と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２８】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、デジタルカメラ１０では、レリーズボタン５６Ａを半押し状態にすることにより被写体の明るさが測光され、測光された被写体の明るさに基づきＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００３０】
一方、デジタルカメラ１０の背面には、前述のファインダ２０の接眼部と、撮影された被写体像やメニュー画面等を表示するための上記ＬＣＤ３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、が備えられている。
【００３１】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３２】
なお、十字カーソルボタン５６Ｄは、ＬＣＤ３８の表示領域における上・下・左・右の４方向の移動方向を示す４つの矢印キーと、それら矢印キーの中央に存在する決定キーとを含んで構成されている。
【００３３】
次に、図４を参照して、本実施の形態に係るデジタルカメラ１０の電気系の構成を説明する。
【００３４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３６】
なお、デジタル信号処理部３０は、所定容量のラインバッファを内蔵し、入力されたデジタルデータを後述するメモリ４８の所定領域に直接記憶させる制御も行う。
【００３７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。
【００３９】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、注文受付端末装置１２と赤外線通信するための赤外線通信インタフェース５８と、を含んで構成されている。
【００４０】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００４１】
デジタル信号処理部３０、ＬＣＤインタフェース３６、ＣＰＵ４０、メモリインタフェース４６、外部メモリインタフェース５０、赤外線通信インタフェース５８、及び圧縮・伸長処理回路５４はシステムバスＢＵＳを介して相互に接続されている。従って、ＣＰＵ４０は、デジタル信号処理部３０の作動の制御、圧縮・伸長処理回路５４の作動の制御、赤外線通信インタフェース５８の作動の制御、ＬＣＤ３８に対するＬＣＤインタフェース３６を介した各種情報の表示、メモリ４８及びメモリカード５２へのメモリインタフェース４６、及び外部メモリインタフェース５０を介したアクセスを各々行うことができる。
【００４２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４５】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４７】
次に、本実施の形態に係るデジタルカメラ１０の撮影時における全体的な動作について簡単に説明する。
【００４８】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４９】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５０】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００５１】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５２】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５３】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に記録する。
【００５４】
次に、注文受付システムで実行される２種類の注文受付画面表示処理について、各々シーケンス図と注文受付端末装置１２の処理を示すフローチャートを用いて説明する。なお、シーケンス図及びフローチャートで示される処理は、注文受付端末装置１２のＣＰＵ６０及びデジタルカメラ１０のＣＰＵ４０で実行される処理である。また、注文受付画面表示処理は、注文受付端末装置１２の通信可能範囲内で、デジタルカメラ１０の操作部５６でユーザが所定の操作をすることで開始されるようにしても良いし、デジタルカメラ１０の電源投入時に開始されるようにしても良い。
【００５５】
まず、１つめの処理を示すシーケンス図を、図５を用いて説明する。まず、ステップ１０１で、デジタルカメラ１０は、所定の注文（本実施の形態ではプリント注文）の開始を示す注文開始情報である注文開始要求を注文受付端末装置１２に送信する。そして、注文受付端末装置１２のＣＰＵ６０は、通信インタフェース６６によりデジタルカメラ１０から注文開始要求が受信されると、プリント注文に対応する注文受付画面を表示部６４により表示するように制御する。この注文受付画面を表示する前に、デジタルカメラ１０と通信を開始したことを示す画面を表示するようにしても良い。また、注文受付端末装置１２が、この注文受付画面表示処理をサポートしていること示す内容を表示するようにしても良い。
【００５６】
この注文受付画面の一例を、図６に示す。同図に示される注文受付画面は、プリント注文に関する注文情報がユーザにより入力される画面であり、この注文受付画面には、注文情報である氏名、受け取り方法、及び決済方法（クレジットカードの番号、有効期限、名義）が示されている。そして、これらの各情報は、操作入力部６５によってユーザにより入力可能となっている。なお、注文情報は、上記情報に限るものではなく、例えば受け取り方法及び決済方法のみの場合もあり得る。
【００５７】
図５のシーケンス図に戻り、ＣＰＵ６０は、上記注文受付画面に示される各情報がユーザにより入力されると（入力完了）、注文情報を取得し、ステップ１０２で、取得された注文情報を、通信インタフェース６６によりデジタルカメラ１０に送信する。注文情報を受信したデジタルカメラ１０は、その注文情報を上記フラッシュメモリなどに保持する。
【００５８】
上記図５で示した処理における注文受付端末装置１２の注文受付画面表示処理の詳細を、図７のフローチャートを用いて説明する。まず、ステップ２０１で、上記操作入力部６５でユーザによる入力があるか否か判断する。ステップ２０１で肯定判断した場合には、ステップ２０３で、注文受付端末装置１２の通常の処理であるトップページを表示し、ステップ２０４の注文選択画面表示を行う。このトップページとは、注文受付端末装置１２が提供する全機能を提供するための画面である。また、注文選択画面とは、トップページから注文受付画面を表示するための全ての画面を示している。従って、ステップ２０４の注文選択画面表示は、その注文選択画面表示に対してユーザにより入力される情報に従って行われる処理も含む。この処理により、ステップ２０５で表示される注文選択画面にユーザはたどり着くことができる。
【００５９】
一方、ステップ２０１で否定判断した場合には、ステップ２０２で、デジタルカメラ１０から注文開始要求を受信したか否か判断する。このステップ２０２で否定判断した場合には、再びステップ２０１に戻る。一方、ステップ２０２で肯定判断した場合には、ステップ２０５で上述した注文受付画面が表示するように制御する。このように、デジタルカメラ１０の電源を投入するなど、ユーザが簡単な操作をすることで、ユーザは即座に注文受付画面にたどり着くことができる。
【００６０】
次のステップ２０６で、注文受付画面にユーザが全ての注文情報を入力したと判断すると、ステップ２０７で、デジタルカメラ１０に取得した注文情報を送信する。そして、ステップ２０８で注文を確定するための確定画面を表示部６４により表示するように制御し、処理を終了する。
【００６１】
注文受付画面表示処理は以上で終了するが、この後、画像データなどがデジタルカメラ１０から注文受付端末装置１２に送信される。
【００６２】
次に、２つ目の注文受付画面表示処理について説明する。まず、図８のシーケンス図を用いて注文受付画面表示処理について説明する。デジタルカメラ１０は、まず保持している注文情報を取得する。この注文情報は、上記ステップ１０２で注文受付端末装置１２から受信され保持した注文情報でも良いし、予めデジタルカメラ１０のユーザにより入力されたものであっても良い。
【００６３】
取得した注文情報を、ステップ３０１で注文受付端末装置１２に送信する。そのとき、上記注文開始要求とともに注文情報を送信する。その場合、注文受付端末装置１２は、全ての注文情報を受信すると、注文受付画面を表示することなく注文確定画面を表示する。このように、デジタルカメラ１０から注文開始要求とともに全ての注文情報が受信された場合には、注文確定画面が即座に表示されるようになる。
【００６４】
上記図８で示した注文受付画面表示処理における注文受付端末装置１２の処理の詳細を、図９のフローチャートを用いて説明する。まず、ステップ４０１で、上記操作入力部６５でユーザによる入力があるか否か判断する。ステップ４０１で肯定判断した場合には、ステップ４０３で、注文受付端末装置１２の通常の処理であるトップページを表示し、ステップ４０４の注文選択画面表示を行う。このトップページ及び注文選択画面は図７で説明したものと同様である。また、ステップ４０４の注文選択画面表示は、その注文選択画面表示に対してユーザにより入力される情報に従って行われる処理も含むことも同様である。この処理により、ステップ４０５で表示される注文選択画面にユーザはたどり着くことができる。
【００６５】
一方、ステップ４０１で否定判断した場合には、ステップ４０２で、デジタルカメラ１０から注文開始要求を受信したか否か判断する。このステップ４０２で否定判断した場合には、再びステップ４０１に戻る。一方、ステップ４０２で肯定判断した場合には、ステップ４０５で全ての注文情報がデジタルカメラ１０から受信されたか否か判断する。ステップ４０５で否定判断した場合には、ステップ４０６で上述した注文受付画面を表示するように制御する。このように、デジタルカメラ１０の電源を投入するなど、ユーザが簡単な操作をすることで、ユーザは即座に注文受付画面にたどり着くことができる。
【００６６】
次のステップ４０７で、注文受付画面にユーザが全ての注文情報を入力したと判断すると、ステップ４０８で、デジタルカメラ１０に取得した注文情報を送信し、ステップ４０９に移行する。
【００６７】
一方、ステップ４０５で肯定判断した場合には、ステップ４０９で注文を確定するための確定画面を表示部６４により表示するように制御し、処理を終了する。このように、デジタルカメラ１０の電源を投入するなど、ユーザが簡単な操作をし、更に注文情報がデジタルカメラ１０に保持されている場合には、ユーザは即座に確定画面にたどり着くことができる。
【００６８】
注文受付画面表示処理は以上で終了するが、この後、画像データなどがデジタルカメラ１０から注文受付端末装置１２に送信される。
【００６９】
なお、ステップ４０６で、デジタルカメラ１０から受信された注文情報が不足している場合、不足している注文情報のみを表示するようにしても良い。また、注文受付端末装置１２は、注文情報が受信されている状態の時に、注文情報取得中であることを示す内容を表示するようにしても良い。
【図面の簡単な説明】
【００７０】
【図１】本実施の形態に係る注文受付システムを示す図である。
【図２】本実施の形態に係る注文受付端末装置の構成を示す図である。
【図３】本実施の形態に係るデジタルカメラの外観上の構成を示す図である。
【図４】本実施の形態に係るデジタルカメラの電気系の構成を示す図である。
【図５】注文受付画面表示処理を示すシーケンス図である（その１）。
【図６】注文受付画面の一例を示す図である。
【図７】注文受付端末装置における注文受付画面表示処理を示すフローチャートである（その１）。
【図８】注文受付画面表示処理を示すシーケンス図である（その２）。
【図９】注文受付端末装置における注文受付画面表示処理を示すフローチャートである（その２）。
【符号の説明】
【００７１】
１０  デジタルカメラ
１２  注文受付端末装置
２０、４０  ＣＰＵ
５８  赤外線通信インタフェース
６６  通信インタフェース
【図１】
2008234171.tif 000003
【図２】
2008234171.tif 000004
【図３】
2008234171.tif 000005
【図４】
2008234171.tif 000006
【図５】
2008234171.tif 000007
【図６】
2008234171.tif 000008
【図７】
2008234171.tif 000009
【図８】
2008234171.tif 000010
【図９】
2008234171.tif 000011